(57)【要約】【課題】本発明の目的は、別個に異なる模様部分を有するラベルを簡単且つ確実に連続して製造できるように、最初に述べたタイプの方法と装置とを改良することである。【解決手段】本発明は模様入り織布ラベルの製造方法に関し、この方法では、模様入れ装置(22)によって制御される製造機が、ラベル(Ｅ１)から(ＥＮ)に、全てのラベルについて同じ模様(Ｍ)と、相互に相違する模様部分(Ｔ１)から(ＴＮ)とを与える。この製造を改良するため、仮想ラベル(Ｖ)が、これの幅(Ｗ)と長さ(Ｌ)とに亘って配分され、そして相互に異なるＮ個の別個の模様部分(Ｔ１)から(ＴＮ)を有するＮ個の別個のラベル(Ｅ１)から(ＥＮ)から創作され、次いで、この仮想ラベル(Ｖ)が別個のラベル(Ｅ１)から(ＥＮ)に分割される。【選択図】図２
2004534912.tif 000002
【特許請求の範囲】
【請求項１】
模様入り織布ラベルの製造方法であって、これらのラベル(Ｅ１)から(ＥＮ)に、模様入れ装置(22)によって制御される製造機により全てのラベルに同一の模様(Ｍ)と、相互に異なる模様部分(Ｔ１)から(ＴＮ)、(Ｚ１)から(ＺＮ)とを設けたものにおいて、Ｎ個の別個のラベル(Ｅ１)から(ＥＮ)からなる仮想ラベル(Ｖ)が製造され、この別個のラベルが仮想ラベル(Ｖ)の幅(Ｂ)と長さ(Ｌ)に亘って配分されていて、相互に異なるＮ個の別個の模様部分(Ｔ１)から(ＴＮ)、(Ｚ１)から(ＺＮ)とを有し、こうして製造された仮想ラベル(Ｖ)が別個のラベル(Ｅ１)から(ＥＮ)に再分割されることを特徴とするもの。
【請求項２】
請求項１に記載の方法であって、仮想ラベル(Ｖ)の幅が製造機に用いられる経糸の数に対応することを特徴とするもの。
【請求項３】
請求項１または２に記載の方法であって、仮想ラベル(Ｖ)の長さ(Ｌ)が、製造機の巻き取りビームに巻き取られることのできる布ウェブにより選択されることを特徴とするもの。
【請求項４】
請求項１から３のいずれかに記載の方法であって、仮想ラベル(Ｖ)のラベル(Ｅ)の数(Ｎ)が包装ユニットに包装されることができるラベルの数により選択されることを特徴とするもの。
【請求項５】
請求項１から４のいずれかに記載の方法であって、ラベル(Ｅ１)から(ＥＮ)の各々に、相互に異なる１つ以上の第２模様部分が設けられることを特徴とするもの。
【請求項６】
請求項５に記載の方法であって、連続する番号付けが１つ以上の別個の模様部分(Ｔ１)から(ＴＮ)、(Ｚ１)から(ＺＮ)として選択され、好ましくは仮想ラベル(Ｖ)の長手方向に、隣接する列状に連続して配分されることを特徴とするもの。
【請求項７】
請求項５に記載の方法であって、ラベル毎に異なるバー・コードが、１つ以上の別個の模様部分(Ｔ１)から(ＴＮ)、(Ｚ１)から(ＺＮ)として選択されることを特徴とするもの。
【請求項８】
請求項５に記載の方法であって、ラベル毎に異なり、ランダム・ジェネレータにより作成するのが好ましい模倣防止用の追加のコードを別個の模様部分(Ｚ１)から(ＺＮ)として選択されることを特徴とするもの。
【請求項９】
請求項５に記載の方法であって、ラベル毎に異なる映像、図形等が別個の模様部分(Ｔ１)から(ＴＮ)、(Ｚ１)から(ＺＮ)として選択されることを特徴とするもの。
【請求項１０】
請求項１から９のいずれかに記載の方法であって、仮想ラベル(Ｖ)の最初と最後に識別情報が設けられていることを特徴とするもの。
【請求項１１】
請求項１から１０のいずれかに記載の方法であって、仮想ラベルを別個のラベルあるいはラベル・ウェブに再分割するための模様の無い中間区域が、仮想ラベル(Ｖ)にその長手方向および／または幅方向で別個のラベル同士の間に配されていることを特徴とするもの。
【請求項１２】
請求項１１に記載の方法であって、上記の中間区域が模様の無い布地部分で形成されていることを特徴とするもの。
【請求項１３】
請求項１１に記載の方法であって、上記の中間区域が布の無い区域により長手方向に形成され、仮想ラベルが幅方向に亘って配分された長手方向のストリップの状態で製造されることを特徴とするもの。
【請求項１４】
請求項１から１３のいずれかに記載の方法であって、仮想ラベル(Ｖ)が最初デザイン・モードで作成され、ついでコンバータ(22b)により製造機により処理できる模様・モードに変換されることを特徴とするもの。
【請求項１５】
請求項１４に記載の方法であって、別個の模様部分(Ｔ１)から(ＴＮ)、(Ｚ１)から(ＺＮ)がデザイン・モードで手作業で作成されることを特徴とするもの。
【請求項１６】
請求項１４に記載の方法であって、別個の模様部分(Ｔ１)から(ＴＮ)、(Ｚ１)から(ＺＮ)がデザイン・モードで半自動的に作成されることを特徴とするもの。
【請求項１７】
請求項１４に記載の方法であって、別個の模様部分(Ｔ１)から(ＴＮ)、(Ｚ１)から(ＺＮ)がデザイン・モードで全自動に作成されることを特徴とするもの。
【請求項１８】
請求項１４から１７のいずれかに記載の方法であって、デザイン・ソフトウェアを有するＣＡＤシステム(23a)と、別個の模様部分(Ｔ１)から(ＴＮ)、(Ｚ１)から(ＺＮ)を作成するための１つ以上の制御手段(23b・23c)とを備えたコンピュータ制御の模様入れ装置(22)がデザイン・モードに使用されることを特徴とするもの。
【請求項１９】
請求項１から１８のいずれかに記載の方法であって、模様入れ装置(22)が製造機と別個に配置されていて、データ・ラインあるいは好ましくはデータ・キャリアにより製造機へのデータ移送を行うことを特徴とするもの。
【請求項２０】
請求項１から１９のいずれかに記載の方法であって、使用される製造機が印刷機であることを特徴とするもの。
【請求項２１】
請求項１から１９のいずれかに記載の方法であって、使用される製造機がジャカード織機であることを特徴とするもの。
【請求項２２】
請求項２１に記載の方法であって、仮想ラベル(Ｖ)が、布幅方向の繰り返しの無いジャカード広幅織機で織られることを特徴とするもの。
【請求項２３】
請求項２１項に記載の方法であって、仮想ラベル(Ｖ)が布幅方向の繰り返しの無い多区分ジャカード・ニードル・リボン織機で作成されることを特徴とするもの。
【請求項２４】
請求項１から２２のいずれかに記載の方法であって、仮想ラベル(Ｖ)が、好ましくは熱切断によって、製造機のすくなくとも長手方向に再分割されることを特徴とするもの。
【請求項２５】
請求項１から２４のいずれかに記載の方法であって、仮想ラベル(Ｖ)が、好ましくは熱切断によって、製造機のすくなくとも幅方向に再分割されることを特徴とするもの。
【請求項２６】
請求項１から２５のいずれかに記載の方法であって、仮想ラベル(Ｖ)の再分割が製造機とは別個に行われることを特徴とするもの。
【請求項２７】
請求項１から２６のいずれかに記載の方法であって、仮想ラベル(Ｖ)が、好ましくは、製造されるラベルの数に対する指示を与えることの出来る、別個のラベルの製造計数器(20)を有する製造機で製造されることを特徴とするもの。
【請求項２８】
模様入れ装置(22)と製造機とを備えた、請求項１から２７のいずれかに記載の方法を実施する装置であって、仮想ラベル(Ｖ)の幅(Ｂ)と長さ(Ｌ)に亘って配分され、相互に異なるＮ個の別個の模様部分(Ｔ１)から(ＴＮ)、(Ｚ１)から(ＺＮ)を有するＮ個の別個のラベル(Ｅ１)から(ＥＮ)を有する仮想ラベル(Ｖ)を作成する制御手段を上記の模様入れ装置(22)が備えていることを特徴とするもの。
【請求項２９】
請求項２８に記載の装置であって、模様入れ装置(22)が製造機とは別個に配置されていることを特徴とするもの。
【請求項３０】
請求項２９に記載の装置であって、模様入れ装置(22)が、製造機とのデータ交換のためのデータ・キャリア生じさせる出力手段を有することを特徴とするもの。
【請求項３１】
請求項２８から３０のいずれかに記載の装置であって、製造機が、製造される別個のあるいは単一のラベルの数を検出するための製造計数器(20)を有することを特徴とするもの。
【請求項３２】
請求項２８から３１のいずれかに記載の装置であって、製造機が印刷機であることを特徴とするもの。
【請求項３３】
請求項２８から３１のいずれかに記載の装置であって、製造機がジャカード織機であることを特徴とするもの。
【請求項３４】
請求項３３に記載の装置であって、上記のジャカード織機が広幅織機であることを特徴とするもの。
【請求項３５】
請求項３３に記載の装置であって、上記のジャカード織機が多区分ニードル・リボン織機であることを特徴とするもの。
【発明の詳細な説明】
【技術分野】
【０００１】
本発明は、請求項１の序文による模様入り織布ラベルの製造方法と、請求項２８による、その方法を実施する装置に関する。
【背景技術】
【０００２】
最初に述べたタイプの方法と装置は、例えば、ドイツ特許第３６２７３１５Ａ号あるいは国際公開公報第００／７３５５９から既知である。これらで製造されたラベルは、規則的な模様に加えて、別個の模様部分を持っており、これらの模様部分のために、特別な形態の基本的なデザインを備えた空間が特定の領域に保持されている(空間保持)。デザイン模様部分、即ち最終デザイン部分は上記の空間領域に電子記憶装置から自動的に挿入される。これらの模様部分は可変で、完成したデザイン部分は、既に、製造装置、例えば、ジャガード織機を制御する全ての情報を保有している。
【特許文献１】
ドイツ特許第３６２７３１５Ａ号
【特許文献２】
国際公開公報第００／７３５５９
【０００３】
然しながら、ラベルを連続的に製造する場合、各ラベルに著しく異なった別個の模様部分を設けることは比較的困難である。とにかく、可変のデータを挿入できる空間は固定され、限定されている。更に難しいことには、模様部分はまえもって作製しておかなくてはならず、それ故、例えば、幅、長さあるいはその他のパラメータを簡単に変えられない。だから根本的にデザインをやり直さなければならず、よって、高くつく。更に、１つの模様部分からもう1つの模様部分への移行を、織り方で相互に正確に統合しなくてはならない。更に、別個の模様部分を頻繁に間違って振らないようにする安全策もない。
【発明の開示】
【発明が解決しようとする課題】
【０００４】
本発明の目的は、別個に異なる模様部分を有するラベルを簡単且つ確実に連続して製造できるように、最初に述べたタイプの方法と装置とを改良することである。
【課題を解決するための手段】
【０００５】
上記の目的は、次の発明によって達成される。
a)  請求項１の特徴による最初に述べた方法。
b)  請求項２８の特徴による最初に述べた装置。
その幅と長さに亘って配分されたＮ個の別個のラベルからなり、１つの模様と相互に異なるＮ個の別個の模様部分とを有する仮想ラベルが製造され、こうして製造された仮想ラベルがＮ個の別個のラベルに再分割されるので、バッチ・サイズＮで製造される別個のラベルもまた実際確実に相互に異なっている。
この方法の好ましい実施例が請求項２から２７に記載され、装置については、請求項２９から３５に記載されている。
【０００６】
請求項２によれば、仮想ラベルの幅は、製造機、例えば、織機に使われる経糸の数に対応する。
Ｎはいずれの所望のサイズでもよいが、請求項３によれば、巻き取りビームに巻き取られることのできる布ウェブの長さに対応するのが好ましい。請求項４によれば、バッチ・サイズＮもまた包装ユニットに包装されることのできるラベルに依存する。
【０００７】
請求項５によれば、各ラベルは、１つ以上の第２模様部分を備えており、この第２模様部分は、請求項６によれば、相互に隣接する列状で、好ましくは仮想レベルの長手方向に連続して配分される連続した番号付けである。この別個の模様部分は、また請求項７によれば、バーコードであり、あるいは請求項８によれば、ランダム・ジェネレタによって生じる模倣防止用の追加のコードである。請求項９によれば、模様部分はまた、映像、図形等の種々のグラフィック図形である。また、種々の名前および／または姓等のその他の別個の模様が考えられる。別個の模様部分は、また、一連のオブジェ、植物、動物等からなってもよい。
【０００８】
請求項１０によれば、仮想ラベルの最初と最後に、例えば、バッチ・サイズを識別あるいは示すため識別情報が設けられる。請求項１１によれば、仮想ラベルを別個のラベルあるいはラベル・ウエブに再分割するための模様の無い中間区域が、長手方向および／または幅方向において仮想ラベルＶの別個のラベル同士間に設けられている。請求項１２によれば、これらの中間区域は模様の無い布地部分で形成されている。請求項１３によれば、中間区域は、また、布地の無い領域によって長手方向に形成され、仮想ラベルは幅方向に亘って配分された長手方向のストリップ(細長い帯)で作製されている。
【０００９】
請求項１４項によれば、仮想ラベルは最初デザイン・モードで作製され、ついでコンバータによって、製造機によって処理できる模様モードに変換される。これらの別個の模様部分は請求項１５によれば、手で、請求項１６によれば、半自動的に、請求項１７によれば、完全に自動的に作成される。とくに完全に自動的に作成される場合は、デザインソフトウェアを有するＣＡＤシステムと、別個の模様部分を作成する１つ以上のジェネレータとを備えたコンピュータ制御の模様入れ装置をデザイン・モードに用いれば好ましい。
【００１０】
請求項１９によれば、模様入れ装置は製造機と別個に配置してもよく、製造機へのデータ移送はデータ・ラインあるいは好ましくはデータ・キャリヤによって行ってもよい。この場合、模様入れ装置は製造機の使用者とは別個に、作製者の建物に配置するのが好ましくもあり、有利でもある。製造機の操作者は、それから、所望の模様と所望の別個の模様部分をモデルとして模様入れ装置の操作者に送り、ついで、操作者は、マスター・プログラムとして知られている必要なプログラムと、製造機用の制御信号を作り上げ、決定して、製造機の制御用に使用者に戻す。
【００１１】
請求項２０によれば、製造機は、織布ウェブに仮想ラベルをプリントする印刷機であってもよい。請求項２１によれば、仮想ラベルを製造するためのジャカード織機を用いることはもっと好ましい。請求項２３によれば、布幅方向の繰り返しが無い多区分ジャカード・ニードル・リボン織機で耳(ほつれどめ)と共に織っても良い。仮想ラベルを布幅方向の繰り返しの無い広幅織機で作製する場合は、請求項２２による方法によればもっと成果が上がる。
【００１２】
ついで、リボンあるいは広幅ウェブとしてそのような製造機で仮想ラベルを連続的に製造してもよい。そして請求項２６によれば、製造機とは別個に、別個のラベルに再分割され、折り畳み機で最終形態に折りたたまれる。請求項２４および／または請求項２５により、仮想ラベルを製造機で製造中長手方向および幅方向に切断してもよい。
【００１３】
仮想ラベルは、例えば、ラベルの顧客者のために製造したバッチ・サイズの検査等の多様で可能な用途のため、および／または機械および／またはソフトウエアの製造者を説明する許可証として製造されたラベルの数を検出するために、請求項２７により製造計数器を有する製造機用に作製されるのが好ましい。
【発明を実施するための最良の形態】
【００１４】
本発明の実施例を図面を参照しながら以下に詳細に記載する。
図１は布地用経糸(４)と緯糸(６)から作製される布地(２)からなるラベル(Ｅ)を示す。図形用の緯糸(８)は、模様(Ｍ)と別個の模様部分(Ｔ)とを生じさせる役目をし、後者の別個の模様部分はラベル毎に相違している。
【００１５】
図２は好ましい製造機の線図であって、この製造機はジャカード装置(10)を備えたジャカード広幅織機として作製されるのが好ましい。この装置(10)はヘルド(12)(経糸を開口させるもの)およびヘルド・アイ(14)を介して経糸(４)を杼口(16)に開口させ、この杼口(16)に、一方では、布地用緯糸(６)を、他方では、図形用緯糸(８)を入れて布地(２)と、模様(Ｍ)および模様部分(Ｔ)とに結びつける。
【００１６】
ジャカード広幅織機は制御装置(18)を含んでおり、この制御装置(18)は製造計数器(20)を備えている。この制御装置(18)には模様入れ装置(22)からデータがおくりこまれ、この模様入れ装置(22)は直接制御装置に連結されてもよいし、あるいはジャカード広幅織機とは別に、例えば、模様センタに配置してもよい。模様センタに配置する場合は、模様入れ装置(22)のデータは、例えば、ディスケットのようなデータ・キャリアあるいはＣＡＭ・ネットワークのようなデータ・ラインを介して伝達される。
【００１７】
模様入れ装置(22)は、一つの所望の模様が作成される、ＣＡＤシステムを備えたデザイン部分(22a)と、１つ以上の別個の模様部分(Ｔ)を作成するために、例えば、ジェネレータである、もう１つの第１制御手段(23b)と、場合によっては、更にもう１つの制御手段(23c)とを含む。更に、模様入れ装置(22)は、コンバータ(22b)(デザイン装置)を備え、このコンバータはデザイン部分(22a)で作成された仮想ラベル(Ｖ)を、機械で読み取れる形態に変換し、この形態が、製造機(10)の制御装置(18)、この実施例では織機のジャカード装置によって処理できる。制御手段(23b)と(23c)とは手動で操作される装置、半自動装置、あるいは完全な自動装置でもよい。特に、完全な自動装置では対応するソフトウエアを含む。
【００１８】
模様入れ装置(22)で作成した制御プログラム、即ちマスター・プログラムによって、ジャカード広幅織機が制御でき、図２に示されている布ウェブ(Ｗ)が製造できる。この布ウェブに別個のラベル(Ｅ１)から(Ｅ３)が織り込まれ、これらの別個のラベル(Ｅ１)から(Ｅ３)は、隣接して並び、各々、共通の模様Mと、互いに異なる別個の模様部分(Ｔ１)から(Ｔ３)を有する。そのような別個の列のラベルは経糸方向に整列する。こうしてマスター・プログラムによって決定され、Ｎ個の別個のラベル(Ｅ)を有する仮想ラベル(Ｖ)が得られる。これらの別個のラベル(Ｅ)は、相互に異なる模様部分(Ｔ１)から(ＴＮ)を有する。ラベルは布地からなる中間区域(25)を介して幅方向に分離している。こうして作成された仮想ラベル(Ｖ)は、第１切断装置(24)によって、長手方向に別個のストリップ(細い帯)に再分割され、ついでこれらのストリップは第２の切断装置(26)によって、中間区域に沿って別個のラベル(Ｅ)に切断される。図示の例では、第１切断装置(24)は抵抗線あるいは超音波からなる熱切断要素(28)で作製されている。第２切断装置(26)は第１切断装置(24)と同じように設計されてもよいが、図示されている例では、第２切断装置(26)は、機械的に操作されるはさみ(30)でしめされている。
【００１９】
図３及び図４は模様(Ｍ)と、第１模様部分(Ｔ)および第２模様部分(Ｚ)とを備えたもう１つのラベルを示している。第２模様部分(Ｚ)は、例えば、７０ｍｍの長さ(ｌ)と、例えば、３０ｍｍの幅(ｂ)とを有する。次いで、制御プログラムは、例えば、以下のように作成される。１０個のラベル(Ｅ１)から(Ｅ１０)が布ウェブ(Ｗ)の長手方向で長手方向の列状に配分され、続いて幅方向に亘って列が更にならび連続番号(Ｅ１１)から(Ｅ２０)、(Ｅ２１)から(Ｅ３０)、……と(ＥＮ)まで続く。こうして長さ(Ｌ)および幅(Ｂ)を有する仮想ラベル(Ｖ)が形成される。仮想ラベル(Ｖ)の幅(Ｂ)はジャカード織機の繰り返し幅に対応する。ラベルの長さ(ｌ)が７０ｍｍで、幅(ｂ)が３０ｍｍで、これが１０列隣接して配置されているとすると、バッチ・サイズ(Ｎ)が５０,０００の場合、長さ(Ｌ)が１５０ｍで、幅(Ｂ)が０.３ｍの仮想ラベルが得られる。仮想ラベル(Ｖ)の長さ(Ｌ)は精々１つの布ビームに巻き取られることのできる布ウェブと同じ大きさに選択するのが好ましい。複数列のラベルが各々ロールに巻き取られ、そこで連続番号が振られる。
【００２０】
図３および図４のラベルの第２模様部分(Ｚ)はコード化された追加の情報(Ｚ)を含んでおり、その情報(Ｚ)は図２の模様入れ装置(22)の制御装置(23c)で生じさせ得る。制御手段(23c)はランダム・ジェネレータを含み、このジェネレータは、例えば、そのようなラベルを備えた製品に著作権保護と盗難防止等の策を講じるため図４に示されているように、連続番号(Ｔ１)から(ＴＮ)までの番号に加えて、各ラベル(Ｅ１)から(ＥＮ)にコード化された印(ＺＸ)を振る。
【００２１】
図５は、３区分からなるニードル・リボン織機で作製される更なる別個のラベル(Ｖ)を示す。この場合別個のラベルは別個の織り点(32１)、(32２)、(32３)に配分される。こうして、ラベル(Ｅ１)から(Ｅａ)は第１織り点(32１)で、ラベル(Ｅａ＋１)から(Ｅｂ)は第２織り点(32２)で、残りのラベル(Ｅｂ＋１)から(ＥＮ)は第３織り点(32３)で作成される。各場合、ストリップは、相互に統合された番号付けと模様部分(Ｔ１)から(ＴＮ)までの配置によってのみ内容で相互に連結される。更に、これらのラベルには追加のコード化された模様部分(ＺＸ)を有する。
【００２２】
本発明の方法と装置によれば、例えば、顧客は自分のラベルのグラフィックをＴｉｆフォーマットで、模様部分、例えば、番号付けの位置を示して模様センターに送る。この模様センターは模様部分の配置と形および別個の模様部分のデザインと配置用のマスター・プログラムを作成し、これを、例えば、プログラム化したディスケットの形態で、ジャカード織機で処理できるように、顧客、例えば、織人に送り返す。
【図面の簡単な説明】
【００２３】
【図１】単位ラベルの平面図である。
【図２】ジャカード広幅織機の一部をグラフィック図で、また、一部を線図で表した線図である。
【図３】もう１つの単位ラベルを示す平面図である。
【図４】図３のラベルからなる仮想ラベルを示す。
【図５】３区分からなるニードルリボン(針山でつくられたリボン)織機の線図。
【符号の説明】
【００２４】
Ｅ…ラベル、Ｍ…模様、Ｔ…模様部分、Ｚ…追加の模様部分、Ｖ…仮想ラベル、Ｂ…仮想ラベルの幅、Ｌ…仮想ラベルの長さ、20…製造計数器、22…模様入れ装置、22b…コンバータ、23a…ＣＡＤシステム、23b・23c…制御手段。、
【図１】
2004534912.tif 000003
【図２】
2004534912.tif 000004
【図３】
2004534912.tif 000005
【図４】
2004534912.tif 000006
【図５】
2004534912.tif 000007
【国際公開パンフレット】
2004534912.tif 000008
2004534912.tif 000009
2004534912.tif 000010
2004534912.tif 000011
2004534912.tif 000012
2004534912.tif 000013
2004534912.tif 000014
2004534912.tif 000015
2004534912.tif 000016
2004534912.tif 000017
2004534912.tif 000018
2004534912.tif 000019
2004534912.tif 000020
2004534912.tif 000021
2004534912.tif 000022
2004534912.tif 000023
2004534912.tif 000024
2004534912.tif 000025
2004534912.tif 000026
【国際公開パンフレット（コレクトバージョン）】
2004534912.tif 000027
2004534912.tif 000028
【国際調査報告】
2004534912.tif 000029
2004534912.tif 000030
2004534912.tif 000031
2004534912.tif 000032
2004534912.tif 000033
2004534912.tif 000034